(57)【要約】【課題】  構造物へ飛来する小動物を傷付けることなく、構造物からの落下を防止し易くすることを目的とする。【解決手段】  帯状の形状をなしている基部７の複数の凸部７ｂ、７ｄに、基部７の幅方向に沿って設けられた複数の孔部７ｉの列に棒状部材２を組み込み基部７より棒状部材２を突出させ、さらに、その棒状部材２の先端部分２ｂにキャップを取り付けて、凸部７ｂ、７ｄ同士の間の隆起部７ｃの孔部７ｆにワイヤ９を取り付け、基部７の構造物（家屋のベランダ、建築物の屋上等）への接着による固定と相俟って、基部７の長手方向に沿うワイヤ９を構造物（家屋のベランダ、建築物の屋上等）に固定する小動物侵入防止器具１、１０、１２を提供する。【選択図】  図１
2006075036.tif 000002
【特許請求の範囲】
【請求項１】
平板状の部材によりなる基部より、複数の棒状部材を突出させて構造物に取り付ける小動物侵入防止器具において、
前記基部の一方の面側で、前記基部の幅方向に沿って延びるように、基部の長手方向に沿って設けられた複数の凸部と、
前記凸部には、前記凸部上に、前記棒状部材を突出させるために、前記基部の幅方向に沿って設けられた複数の孔部と、複数の前記孔部と連続する、前記凸部が設けられた前記基部の一方の前記面側とは反対の他方の面側に設けられた凹部と、を備えることを特徴とする小動物侵入防止器具。
【請求項２】
前記棒状部材は、略コ字状に形成されて、前記棒状部材の端部が前記基部の他方の前記面側の前記凹部から前記凸部の前記孔部へ挿入されて、前記棒状部材の底部が、前記基部の前記凹部に組み込まれることで、前記棒状部材が前記凸部により支持されることを特徴とする請求項１に記載の小動物侵入防止器具。
【請求項３】
前記基部は帯状の形状であることを特徴とする請求項１又は２のいずれかに記載の小動物侵入防止器具。
【請求項４】
前記基部の前記凸部同士の間に隆起部が設けられ、前記隆起部には、前記基部の長手方向に沿う、前記隆起部を貫通する孔部が設けられていることを特徴とする請求項１乃至３のいずれかに記載の小動物侵入防止器具。
【請求項５】
前記基部の、複数の前記凸部及び前記隆起部が設けられた一方の前記面側とは反対の他方の前記面側には、前記基部の幅方向に沿って、前記基部の厚さ方向を貫通する孔部を横切る、切欠部が設けられていることを特徴とする請求項１乃至４のいずれかに記載の小動物侵入防止器具。
【請求項６】
前記基部より突出している複数の前記棒状部材の前記端部には、キャップが取り付けられていることを特徴とする請求項１乃至５のいずれかに記載の小動物侵入防止器具。
【請求項７】
前記キャップは弾力性のある部材よりなることを特徴とする請求項１乃至６のいずれかに記載の小動物侵入防止器具。
【請求項８】
前記基部の幅方向に沿って延びるように、前記基部の長手方向に沿って設けられた複数の前記凸部に設けられた複数の前記孔部では、組み込まれている前記棒状部材を別の前記棒状部材に取り換えることが可能であることを特徴とする請求項１乃至７のいずれかに記載の小動物侵入防止器具。
【発明の詳細な説明】
【技術分野】
【０００１】
本発明は、小動物、例えば、ハト、カラスを含めた鳥よる構造物である建造物の屋上等における巣作り、排泄等による被害を防止するための小動物侵入防止器具に関する。
【背景技術】
【０００２】
小動物、特にハト、カラスを含めた鳥は、一般家屋の屋上、ベランダ等では、飛来し、巣作りを行ったり、或いは一般家屋の屋上、ベランダ等に留まって糞尿を垂れ流す等の行為を行ったりする。また、ハト、カラスを含めた鳥は、高層住宅等の高い建造物の屋上等に留まり、下の建造物等に糞尿を垂れ流す等の行為を行うこともある。そのために、従来より、小動物、特にハト、カラスを含めた鳥による巣作り、糞尿の垂れ流しによる建造物等の汚れを防止するための器具（装置）が提案されている。
【０００３】
例えば、図１８に示す鳥害防止器具１００が、小動物、特にハト、カラスを含めた鳥による巣作り、糞尿の垂れ流しによる構造物である建造物等の汚れを防止するための器具とされている。この鳥害防止器具１００は、棒状部材である針状体１１０が取り付けられている面を上に向けて、取付金具や接着剤などを用いて構造物（家屋のベランダ、建築物の屋上等）などに固定するものである。そして、この鳥害防止器具１００を構造物（家屋のベランダ、建築物の屋上等）に取り付けることにより、ハト、カラスを含めた鳥は、先端が尖った針状体１１０の構造であるために、この鳥害防止器具１００に止まろうとしても、針状体１１０に邪魔されて止まったり、巣作りを行ったりすることができなくなる。その結果、小動物、特にハト、カラスを含めた鳥による巣作り、糞尿の垂れ流しによる建造物等の汚れを防止することが可能になる（特許文献１参照）。
【特許文献１】実用新案登録第３０８３７１１号（段落００１３から段落００１５、図１）
【発明の開示】
【発明が解決しようとする課題】
【０００４】
しかしながら、上記に示す鳥害防止器具１００では、針状体１１０が取り付けられているため針状体１１０の先端が尖っており、鳥害防止器具１００に飛来して止まろうとしたハト、カラスを含めた鳥が針状体１１０に接触することで傷付けてしまう可能性がある。また、鳥害防止装置１００を構造物（家屋のベランダ、建築物の屋上等）に取り付ける場合には、接着剤を用いることが多かったが、接着剤だけでは十分に鳥害防止器具１００を構造物（家屋のベランダ、建築物の屋上等）へ固定することが難しく、風等が強く吹くことで鳥害防止器具１００が構造物（家屋のベランダ、建築物の屋上等）から落下する可能性もあった。特に、構造物（家屋のベランダ、建築物の屋上等）が地上より著しく高い場合には、鳥害防止器具１００が構造物（家屋のベランダ、建築物の屋上等）から落下することにより、地上にあるものを破壊する等のおそれもある。
【０００５】
さらに、上記の鳥害防止器具１００では、設置箇所の形状やサイズに合わせてハサミやカッターで切り取り、あるいは連結して使用することは可能であるが、針状体１１０の底部１２０に対する角度は固定されているため、針状体１１０の底部１２０に対する角度によっては設置したい箇所に設置できない場合もあり得ることである。
【０００６】
本発明は、上記の事情に鑑みなされたものであり、構造物へ飛来する小動物、特にハト、カラスを含めた鳥を傷付けることなく、構造物からの落下を防止し易くし、構造物内の狭く取り付け難い設置箇所でも容易に取り付けることが可能な小動物侵入防止器具を提供することを目的とする。
【課題を解決するための手段】
【０００７】
上記の目的を達成するために、請求項１に記載の発明は、平板状の部材によりなる基部より、複数の棒状部材を突出させて構造物に取り付ける小動物侵入防止器具において、前記基部の一方の面側で、前記基部の幅方向に沿って延びるように、基部の長手方向に沿って設けられた複数の凸部と、前記凸部には、前記凸部上に、前記棒状部材を突出させるために、前記基部の幅方向に沿って設けられた複数の孔部と、複数の前記孔部と連続する、前記凸部が設けられた前記基部の一方の前記面側とは反対の他方の面側に設けられた凹部と、を備えることを特徴とする。
【０００８】
従って、請求項１に記載の発明によれば、平板状の部材である（平板部を備えた）基部の一方の面側（表面側）に、基部の幅方向に沿って延びるように、基部の長手方向に沿って複数の凸部を設け、その凸部上には、棒状部材を突出させるために、複数の孔部が設けられており、凸部が設けられた基部の他方の面側（下面側）に設けられた凹部とが連続しており（つながっており）、その凹部から凸部へ棒状部材が挿入されると、平板上の部材のうち厚くなっている凸部だけ棒状部材が接触する面積が増えることになり、棒状部材を支持することが可能になり、基部に棒状部材を組み込むことで棒状部材を基部より突出させた状態にすることが可能になる。
【０００９】
また、請求項２に記載の発明は、請求項１に記載の構成に加え、前記棒状部材は、略コ字状に形成されて、前記棒状部材の端部が前記基部の他方の前記面側の前記凹部から前記凸部の前記孔部へ挿入されて、前記棒状部材の底部が、前記基部の前記凹部に組み込まれることで、前記棒状部材が前記凸部により支持されることを特徴とする。
【００１０】
従って、請求項２に記載の発明によれば、従って、基部の凸部が設けられた一方の面側の反対の他方の面側（下面側）の凹部から棒状部材の先端（端部）を挿入し、挿入された棒状部材の先端部分（端部部分）を凹部に連続する基部の孔部へ挿入することで、棒状部材の先端部分（端部部分）がその孔部を通過することで基部の一方の面側（上面側）に突出することになり、棒状部材の底部が基部の底部である凹部に組み込まれ、棒状部材の底部より延びる棒状部材の部分（ピン部分）が基部の凸部の孔部に収まり、棒状部材を基部の一方の面側（表面側）より突出させた状態にすることが可能になる。
【００１１】
さらに、請求項３に記載の発明は、請求項１又は２に記載の構成に加え、前記基部は帯状の形状であることを特徴とする。
【００１２】
従って、請求項３に記載の発明によれば、基部が帯状の形状をなしているので、構造物（家屋のベランダ、建築物の屋上等）が狭いような場合であっても小動物侵入防止器具を取り付けることが可能になる。
【００１３】
また、請求項４に記載の発明は、請求項１乃至３のいずれかに記載の構成に加え、前記基部の前記凸部同士の間に隆起部が設けられ、前記隆起部には、前記基部の長手方向に沿う、前記隆起部を貫通する孔部が設けられていることを特徴とする。
【００１４】
従って、請求項４に記載の発明によれば、基部の長手方向に沿って複数設けられた凸部同士の間に隆起部を設け、その隆起部に基部の長手方向に沿う、隆起部を貫通する孔部が設けられ、その孔部に紐状部材であるワイヤを通し、基部の端部から出るワイヤの端部を小動物侵入防止器具が取り付けられる構造物（家屋のベランダ、建築物の屋上等）にボルト等の固定部材を用いて固定することが可能になり、小動物侵入防止器具の基部の構造物（家屋のベランダ、建築物の屋上等）への接着による固定と相俟って、構造物（家屋のベランダ、建築物の屋上等）からの小動物侵入防止器具の落下防止をより図り易くすることを可能にする。
【００１５】
さらに、請求項５に記載の発明は、請求項１乃至４のいずれかに記載の構成に加え、前記基部の、複数の前記凸部及び前記隆起部が設けられた一方の前記面側とは反対の他方の前記面側には、前記基部の幅方向に沿って、前記基部の厚さ方向を貫通する孔部を横切る、切欠部が設けられていることを特徴とする。
【００１６】
従って、請求項５に記載の発明によれば、基部の他方の面側では、基部の厚さ方向を貫通する孔部を横切って切欠部が設けられているため、切欠部に沿って基部を切断し易くなっており、小動物侵入防止器具を取り付ける構造物（家屋のベランダ、建築物の屋上等）の大きさ等に応じて小動物侵入防止器具の形態（大きさ）を容易に変更することが可能になる。
【００１７】
また、請求項６に記載の発明は、請求項１乃至５のいずれかに記載の構成に加え、前記基部より突出している複数の前記棒状部材の前記端部には、キャップが取り付けられていることを特徴とする。
【００１８】
従って、請求項６に記載の発明によれば、基部より突出している複数の棒状部材の端部である先端部分には、キャップが取り付けられているために、構造物（家屋のベランダ、建築物の屋上等）に飛来した小動物が棒状部材の先端部分に接触しても小動物を傷付ける危険性を減少させることが可能になる。
【００１９】
さらに、請求項７に記載の発明は、請求項１乃至６のいずれかに記載の構成に加え、前記キャップは弾力性のある部材よりなることを特徴とする。
【００２０】
従って、請求項７に記載の発明によれば、小動物が棒状部材の先端部分に接触しても、棒状部材の先端部分を被っている（に取り付けられている）キャップに弾力性があれば、小動物を傷付ける危険性をさらに減少させることが可能になる。
【００２１】
また、請求項８に記載の発明は、請求項１乃至７のいずれかに記載の構成に加え、前記基部の幅方向に沿って延びるように、前記基部の長手方向に沿って設けられた複数の前記凸部に設けられた複数の前記孔部では、組み込まれている前記棒状部材を別の前記棒状部材に取り換えることが可能であることを特徴とする。
【００２２】
従って、請求項８に記載の発明によれば、基部の凸部が平板状の基部部分（平板部）に比べ厚く形成されているために基部が棒状部材のピン部分に接触する面積が増えることになり、基部の凸部と棒状部材のピン部分の接触する部分に接着剤等を用いることにより固定することなく棒状部材全体を支持することが可能になるとともに、さらに、基部と棒状部材を接着剤等を用いて固定していないので基部に組み込む棒状部材を取り換えることも可能となり、基部を共通にして棒状部材を換えることができ、構造物（家屋のベランダ、建築物の屋上等）の大きさ等に応じて小動物侵入防止器具の形態を変更することが可能になる。
【発明の効果】
【００２３】
本発明によれば、基部に組み込まれている棒状部材は接着剤等を用いて基部に固定されているわけではないので基部より棒状部材を取り外すこともできる。そのため、小動物侵入防止器具を取り付ける構造物（家屋のベランダ、建築物の屋上等）の状況に応じて、別の棒状部材を基部に組み込むこともできる。このように棒状部材を換えるだけで種々の形態の小動物侵入防止器具を実現できるため、小動物侵入防止器具を取り付ける構造物（家屋のベランダ、建築物の屋上等）の大きさ等に応じて小動物侵入防止器具の形態を変更することができる。その結果、構造物（家屋のベランダ、建築物の屋上等）の大きさ等に応じて複数の形態の小動物侵入防止器具を用意する必要がなくなる。
【００２４】
また、棒状部材のピン部分の先端には弾力性のあるキャップ（ゴム製のキャップ）が取り付けられているため、構造物（家屋のベランダ、建築物の屋上等）に飛来した小動物であるハト、カラス等が小動物侵入防止器具の棒状部材のピン部分の先端に接触しても小動物であるハト、カラス等を傷付ける危険性が減少した。
【００２５】
さらに、小動物侵入防止器具の基部を接着剤等により構造物（家屋のベランダ、建築物の屋上等）上に接着して固定するだけではなく、ワイヤを基部の隆起部（突起部）の孔部を通して、ワイヤの端部を構造物（家屋のベランダ、建築物の屋上等）上に固定しているので、構造物（家屋のベランダ、建築物の屋上等）より小動物侵入防止器具が落下し難くなっている。
【発明を実施するための最良の形態】
【００２６】
以下、本発明を実施するための最良の形態について図面を参照して説明する。
【００２７】
（例１）
図１には、本発明である小動物侵入防止器具１の正面図が示されており、図１に示すように、この小動物侵入防止器具１は、棒状部材（ステム）２と、棒状部材２の先端端部２ｂに取り付けられたキャップ５と、棒状部材２を支持している基部７とから構成されている。棒状部材２は、図２に示すように、単一（一本）の部材であり、単一（一本）の部材である棒状部材２を略コ字状に折り曲げてある。本例では、棒状部材２の底部２ｄの両端位置（折り曲げ位置２ａ、２ａ）を底部２ｄに対してθ１の角度で折り曲げてピン部分２ｃ、２ｃを形成している。
【００２８】
そして、折り曲げられた棒状部材（ピン部分２ｃ、２ｃ）２の先端部分２ｂ、２ｂの位置が等しくなるようにしてある。本例においては、先端部分２ｂ、２ｂの位置が等しくなるようにピン部分２ｃ、２ｃが折り曲げてあるが、一方の先端部分２ｂが他方の先端部分２ｂより長くなるようにピン部分２ｃ、２ｃを折り曲げることも可能である。
【００２９】
そして、この棒状部材２は基部７に組み込まれることになる。基部７は、図３に示すように、平板状の部材によりなり帯状の形状をなしている。基部７は、図３（ａ）に示すように、平板部７ａ上に平板部７ａより厚くなるように基部７の幅方向に沿って延び、基部の長手方向に沿う、複数の凸部７ｂ、７ｄと、隆起部である突起部７ｃが設けられている。具体的には、図３（ａ）（ｂ）に示すように、凸部７ｂと凸部７ｄは同じ形状をなしており、基部７の幅方向に沿って延びるように、基部７の長手方向に沿って設けられている。
【００３０】
そして、凸部７ｂと凸部７ｄは、平板部７ａ上に図３（ａ）に示す同じ間隔Ａで設けられている。突起部７ｃは、凸部７ｂと凸部７ｄとの間に設けられており、平板部７ａ上に図３（ａ）に示す同じ間隔Ｂで設けられている。以上のように、本例においては、凸部７ｂと凸部７ｄとの間隔を同じにしてあるが、凸部７ｂと凸部７ｄとの間隔を異なるようにして平板部７ａ上に設けることも可能である。同様に、本例においては、突起部７ｃ同士の間隔も同じにしてあるが、突起部７ｃ同士の間隔を異なるようにして平板部７ａ上に設けることも可能である。
【００３１】
また、図３（ｂ）に示す基部７の平面図では、凸部７ｂ上に、棒状部材２を突出させるために、基部７の幅方向に沿って、孔部７ｉが複数設けられているのが示されている。そして、基部７の詳細については、図４に示してあり、図４（ａ）に示すように、凸部７ｂの上面７ｊから平板部７ａを貫通している。本例においては、凸部７ｂの三箇所に孔部７ｉが基部７の幅方向に沿って設けられている。この凸部７ｂの三箇所に設けられた孔部７ｉは、具体的には、図５に示すように、中央の孔部７ｉは凸部７ｂの上面７ｊから垂直に平板部７ａへ延びており、両側の孔部７ｉ、７ｉは凸部７ｂの上面７ｊに対して傾斜して平板部７ａへ延びている。そして、基部７の一方の面側に設けられた凸部７ｂ（基部７）の反対の下面７ｌ側（他方の面側）には凹部７ｋが設けられており、凹部７ｋは孔部７ｉと連続している（つながっている）。
【００３２】
この凸部７ｂが設けられた平板部７ａに隣接する平板部７ａには、図４に示すように、突起部７ｃが設けられている。突起部７ｃは、図４（ａ）（ｂ）に示すように、平板部７ａの中央に設けられており、突起部７ｃの中央には、図４（ａ）に示すように基部７の長手方向に沿う、突出部７ｃを貫通する孔部７ｆが設けられている。本例においては、突出部７ｃの下面側（基部７の下面７ｌ）に基部７の幅方向に沿って横切る切欠部７ｅが設けられている（図４参照）。
【００３３】
つぎに、この突起部７ｃが設けられた平板部７ａに隣接して、凸部７ｄが設けられた平板部７ａが続いている。つまり、この突起部７ｃは凸部７ｂと凸部７ｄとの間に設けられている。凸部７ｄは凸部７ｂと同じであり、凸部７ｂと同様に、棒状部材２を突出させることが可能となるように、孔部７ｉが三箇所に設けられており、三箇所の孔部７ｉは凹部７ｋと連続している（図５参照）。この凸部７ｄが設けられた平板部７ａに隣接する平板部７ａには、図４（ｂ）に示すように、中央にこの平板部７ａを貫通する孔部７ｈが設けられており、基部７の下面７ｌには、図４（ａ）に示すように、基部７の幅方向に沿って孔部７ｈを横切って切欠部７ｅが設けられている。
【００３４】
孔部７ｈ及び切欠部７ｅが設けられた平板部７ａに隣接して凸部７ｂが設けられた平板部７ａが続いている。そして、同様に、突起部７ｃが設けられた平板部７ａが続き、凸部７ｄが設けられた平板部７ａが続いて孔部７ｈ及び切欠部７ｅが設けられた平板部７ａへ続いていく。以上のようにして、平板部７ａ上で凸部７ｂ、突起部７ｃ、凸部７ｄ、孔部７ｈを横切る切欠部７ｅがこの順に繰り返して設けられている。
【００３５】
つぎに、棒状部材２の基部７への組み込み方は、図６に示すように、棒状部材２の底部２ｄに対してθ１の角度で折り曲げられた棒状部材２のピン部分２ｃ、２ｃを矢印Ｅ方向より互いに接近するように一時的に近づけて、矢印Ｄ方向に沿って、棒状部材２の先端部分（端部部分）２ｂ、２ｂを基部７の凸部７ｂの下面７ｌ側の凹部７ｋから基部７に設けられた二箇所の孔部７ｉ、７ｉに挿入する。挿入された棒状部材２の先端部分２ｂ、２ｂは基部７の孔部７ｉ、７ｉを通過して基部７の表面（凸部７ｂの上面７ｊ）側に出てくる。
【００３６】
そして、棒状部材２のピン部分２ｃ、２ｃを基部７の凸部７ｂの両端の孔部７ｉ、７ｉを通過させて棒状部材２の底部２ｄを基部７の底部（下面７ｌ）である凹部７ｋに組み込む。底部２ｄが凹部７ｋに組み込まれることで棒状部材２の底部２ｄは支持される。つまり、棒状部材２の底部２ｄを凸部７ｂの底部７ｄ内に組み込むことで、基部７の凸部７ｂが平板部７ａに比べ厚く形成されているために、棒状部材２のピン部分２ｃ、２ｃに接触する面積が増えることになり、棒状部材２全体を支持することになる。
【００３７】
そして、図７に示すように、ピン部分２ｃ、２ｃが底部２ｄに対してθ１の角度でピン部分２ｃ、２ｃが基部７の上面（表面）７ｊより突出して延びた状態になる。以上のようにして、基部７に複数設けられた凸部７ｂに棒状部材２を組み込む。そして、棒状部材２のピン部分２ｃ、２ｃの先端にはキャップ５を被せることになる（取り付けられることになる）。このキャップ５の材質は特に限定されないが、弾力性がある材料であることが必要になる。本例において、キャップ５としてゴム製のキャップを用いている（図１参照）。
【００３８】
つぎに、小動物侵入防止器具１を構造物（家屋のベランダ、建築物の屋上等）に接着剤等により接着した後に、ワイヤ９を基部７の突起部７ｃに設けられた孔部７ｆへ通すことになる。図８（ａ）（ｂ）に示すように、ワイヤ９を基部７の一方の端部より他方の端部へ向けて這わす。その際、このワイヤ９は、図８（ｂ）に示すように、突起部７ｃが基部７の中央に設けられていることから、基部７の（幅方向における）中央を通っていく。そして、図９に示すように、ワイヤ９は基部７に設けられた複数の突起部７ｃの孔部７ｆを通り、基部７の他方の端部へ向けて這わす。最後に基部７の一方の端部及び他方の端部から出ているワイヤ９の端部９ａ、９ｂをこの小動物侵入防止器具１が取り付けられる構造物（家屋のベランダ、建築物の屋上等）にボルト等の固定部材を用いて固定することになる。
【００３９】
このように、構造物（家屋のベランダ、建築物の屋上等）に小動物侵入防止器具１を取り付けることにより、構造物（家屋のベランダ、建築物の屋上等）に小動物であるハト、カラス等が飛来して、構造物（家屋のベランダ、建築物の屋上等）に止まろうとしても、棒状部材２があるために止まることができない。その結果、小動物であるハト、カラス等による巣作り、糞尿の垂れ流しを防止することができる。
【００４０】
また、棒状部材２のピン部分２ｃの先端部分２ｂにキャップ（ゴム製のキャップ）５が被してあるため（取り付けてあるため）、構造物（家屋のベランダ、建築物の屋上等）に止まろうとして飛来した小動物であるハト、カラス等をピン部分２ｃの先端部分２ｂで傷付けるおそれも減少させることができる。さらに、基部７上にはワイヤ９を這わして（取り付けて）、ワイヤ９を構造物（家屋のベランダ、建築物の屋上等）に固定してあるために、基部７の構造物（家屋のベランダ、建築物の屋上等）への接着による固定と相俟って、単に基部７を構造物（家屋のベランダ、建築物の屋上等）に接着剤等を用いて接着したに過ぎない場合に比べて、この小動物侵入防止器具１は構造物（家屋のベランダ、建築物の屋上等）から落下し難くなっている。
【００４１】
（例２）
つぎに、本発明である小動物侵入防止器具１の別の形態について説明する。図１０に別の形態である小動物侵入防止器具１０が示されている。この小動物侵入防止器具１０では、棒状部材３、４を支持し保持することになる基部７の構成は例１の小動物侵入防止器具１と同じである。ただし、図１１に示すように、基部７の凸部７ｂに棒状部材４が組み込まれ凸部７ｄに棒状部材３が組み込まれているところが、例１で示した小動物侵入防止器具１０と異なっている。
【００４２】
具体的には、図１０、図１１に示すように、小動物侵入防止器具１０では、棒状部材３と、棒状部材３と異なる棒状部材４が設けられている。この棒状部材４の一方の端部部分は、図１２に示すように、略コ字状に折り曲げられている。具体的には、棒状部材４の端部部分がＪ字形状（Ｊ字状に近い形状）をなしている。そして、この棒状部材４の基部７への組み込みに際しては、棒状部材４の底部４ａを凸部７ｂ（基部７）の底部である凹部７ｋに組み込む。そうすると、図１２に示すように、Ｊ字形状の折れ曲がり部４ｃが凹部７ｋと連続している一方の孔部７ｉに組み込まれる（入り込む）。
【００４３】
このように、棒状部材４の底部４ａを凸部７ｂの底部７ｋ内に組み込み、折れ曲がり部４ｃが孔部７ｉへ入り込むことで、底部４ａから延びるピン部分４ｂが基部７の凸部７ｂの中央の孔部７ｉへ挿入される。基部７の凸部７ｂが平板部７ａに比べ厚く形成されているために、棒状部材４のピン部分４ｂに接触する面積が増えることになるということと、折れ曲がり部４ｃが孔部７ｉへ入り込んでいるということにより、棒状部材４全体を支持することが可能になる。そして、ピン部分４ｂが基部７の上面７ｊより突出して延びた状態になる。以上のようにして、基部７に複数設けられた凸部７ｂに棒状部材４を組み込む。そして、棒状部材４のピン部分４ｂの先端には棒状部材３と同様にキャップ（ゴムキャップ）５を被せることになる（取り付けることになる）。
【００４４】
棒状部材３については、例１と同様に、ピン部分３ｃ、３ｃを基部７の凸部７ｄの両端の孔部７ｉ、７ｉを通過させて棒状部材３の底部３ｄを基部７の底部である凹部７ｋに組み込む。このように、棒状部材３の底部３ｄを凸部７ｄの底部である凹部７ｋ内に組み込むことで、図１３に示すように、ピン部分３ｃ、３ｃが底部３ｄに対してθ１の角度で基部７の底部である凹部７ｋから延びた状態になる。
【００４５】
ただし、例２においては、例１と異なり、凸部７ｄの上面７ｊ位置でピン部分３ｃ、３ｃが折り曲げ位置３ｅ、３ｅで上面７ｊに対してθ２の角度で折り曲げられて上面７ｊからピン部分３ｃ、３ｃが延びた状態になる。以上のようにして、基部７に複数設けられた凸部７ｄに棒状部材３を組み込む。そして、棒状部材３のピン部分３ｃ、３ｃの先端にはキャップ（ゴム製のキャップ）５を被せることになる（取り付けることになる）。
【００４６】
そして、小動物侵入防止器具１０を構造物（家屋のベランダ、建築物の屋上等）に接着剤等により接着することに止まらず、ワイヤ９を、図１１に示すように、例１と同様に、基部７の一方の端部より基部７に設けられた複数の突起部７ｃの孔部７ｆを通り、基部７の他方の端部へ向けて這わす。最終的には、基部７の一方の端部及び他方の端部から出ているワイヤ９の端部９ａ、９ｂをこの小動物侵入防止器具１０が取り付けられる構造物（家屋のベランダ、建築物の屋上等）にボルト等の固定部材を用いて固定することになる。その結果、小動物侵入防止器具１０は構造物（家屋のベランダ、建築物の屋上等）より落下し難くなる。
【００４７】
以上のように棒状部材３，４を基部７に組み込むことで図１０、図１１に示す小動物侵入防止器具１０が完成する。例２に示す小動物侵入防止器具１０は、ピン部分３ｃ、３ｃがθ２の角度で折り曲げられて例１に示す小動物侵入防止器具１よりピン部分３ｃ、３ｃの広がりが大きいので広めの構造物（家屋のベランダ、建築物の屋上等）への取り付けに向いている。
【００４８】
（例３）
つぎに、本発明である小動物侵入防止器具１の他の形態について説明する。図１４に別の形態である小動物侵入防止器具１２が示されている。この小動物侵入防止器具１２では、棒状部材６、８を支持し保持することになる基部７の構成は例１及び例２の小動物侵入防止器具１、１０と同じである。ただし、図１４及び図１５に示すように、基部７の凸部７ｂ及び凸部７ｄに棒状部材６、８が設けられているところが、例１及び例２で示した小動物侵入防止器具１、１０と異なっている。
【００４９】
具体的には、棒状部材６，８を、例１及び例２と同様に、ピン部分６ｃ、６ｃ及びピン部分８ｃ、８ｃを基部７の凸部７ｂ、７ｄの両端の孔部７ｉ、７ｉを通過させて棒状部材６、８の底部６ｄ、８ｄを基部７の底部である凹部７ｋに組み込む。このように、棒状部材６、８の底部６ｄ、８ｄを凸部７ｂ、凸部７ｄの底部７ｄ、７ｄ内に組み込むことで、図１６及び図１７に示すように、ピン部分６ｃ、６ｃ、ピン部分８ｃ、８ｃがそれぞれの底部６ｄ、８ｄの両端位置（折り曲げ位置６ａ、６ａ、折り曲げ位置８ａ、８ａ）に対してθ１の角度でピン部分６ｃ、６ｃ、ピン部分８ｃ、８ｃが基部７の底部である凹部７ｋから延びた状態になる。
【００５０】
ただし、例３においては、図１６に示すように、凸部７ｄの上面７ｊ位置でピン部分６ｃ、６ｃが折り曲げ位置６ｅ、６ｅで上面７ｊに対してθ３の角度で折り曲げられて上面７ｊから延びた状態になる。以上のようにして、基部７に複数設けられた凸部７ｄに棒状部材６を組み込む。また、凸部７ｂでは、図１７に示すように、凸部７ｂの上面７ｊ位置でピン部分８ｃ、８ｃが折り曲げ位置８ｅ、８ｅで上面７ｊに対してθ４の角度で折り曲げられて上面７ｊから延びた状態になる。以上のようにして、基部７に複数設けられた凸部７ｂに棒状部材８を組み込む。例３においては、θ３の方がθ４より大きい角度になっているが、θ４の方がθ３より大きい角度にすることも可能である。そして、棒状部材６のピン部分６ｃ、６ｃの先端、及び棒状部材８のピン部分８ｃ、８ｃの先端にはキャップ（ゴム製のキャップ）５を被せることになる（取り付けることになる）。
【００５１】
そして、小動物侵入防止器具１２を構造物（家屋のベランダ、建築物の屋上等）に接着剤等により接着することに止まらず、ワイヤ９を、図１５に示すように、例１及び例２と同様に、基部７に設けられた複数の突起部７ｃの孔部７ｆを通り、基部７の他方の端部へ向けて這わす。基部７の一方の端部及び他方の端部から出ているワイヤ９の端部９ａ、９ｂをこの小動物侵入防止器具１が取り付けられる構造物（家屋のベランダ、建築物の屋上等）にボルト等の固定部材を用いて固定することになる。その結果、小動物侵入防止器具１２は構造物（家屋のベランダ、建築物の屋上等）より落下し難くなる。
【００５２】
以上のように棒状部材６、８を基部７に組み込むことで図１４、図１５に示す小動物侵入防止器具１２が完成する。例３に示す小動物侵入防止器具１２は、例１及び例２に示す小動物侵入防止器具１、１０より、基部７より突出している棒状部材６、８のピン部分６ｃ、６ｃ、８ｃ、８ｃ同士の間隔を狭くしているので小動物のうちでも小さいスズメ等が構造物（家屋のベランダ、建築物の屋上等）へ侵入するのを防止し易くする。
【００５３】
また、例２、例３においては、基部７の凸部７ｂ、７ｄの全てに連続的に棒状部材３、４、６、８を組み込む形態となっているが、この小動物侵入防止器具１０、１２を取り付ける構造物の状況によっては、基部７の凸部７ｂ、７ｄの全てではなく、部分的に棒状部材３、４、６、８を組み込むことも可能であり、そのように基部７の凸部７ｂ、７ｄに部分的に棒状部材３、４、６、８を組み込むことで種々の小動物侵入防止器具１０、１２を実現することも可能になる。
【図面の簡単な説明】
【００５４】
【図１】本発明である例１による小動物侵入防止器具の正面図である。
【図２】本発明である小動物侵入防止器具の棒状部材の折り曲げた状態を示す正面            図である。
【図３】本発明である小動物侵入防止器具の基部を示す説明図である。    （ａ）は本発明である小動物侵入防止器具の基部の側面図である。    （ｂ）は本発明である小動物侵入防止器具の基部の平面図である。
【図４】図３の部分拡大図である。    （ａ）は図３（ａ）の部分拡大図である。    （ｂ）は図３（ｂ）の部分拡大図である。
【図５】図４（ａ）のＣ−Ｃ線に沿う基部の凸部の断面図である。
【図６】棒状部材を基部の凸部へ組み込みを示す説明図である。
【図７】図５に示す基部の凸部へ棒状部材を組み込んだ状態を示す説明図である。
【図８】基部にワイヤを取り付ける状態を示す説明図である。    （ａ）は基部にワイヤを取り付ける状態を示す小動物侵入防止器具の側面図である。    （ｂ）は基部にワイヤを取り付ける状態を示す小動物侵入防止器具の平面図である。
【図９】基部にワイヤを取り付けた状態を示す小動物侵入防止器具の側面図である。
【図１０】本発明である例２による小動物侵入防止器具を示す正面図である。
【図１１】本発明である例２による小動物侵入防止器具を示す側面図である。
【図１２】例２による小動物侵入防止器具の基部の凸部へ棒状部材を組み込んだ状              態を示す説明図である。
【図１３】例２による小動物侵入防止器具の基部の凸部へ棒状部材を組み込んだ状              態を示す説明図である。
【図１４】本発明である例３による小動物侵入防止器具を示す正面図である。
【図１５】本発明である例３による小動物侵入防止器具を示す側面図である。
【図１６】例３による小動物侵入防止器具の基部の凸部へ棒状部材を組み込んだ状              態を示す説明図である。
【図１７】例３による小動物侵入防止器具の基部の凸部へ棒状部材を組み込んだ状              態を示す説明図である。
【図１８】従来の鳥害防止器具の斜視図である。
【符号の説明】
【００５５】
１、１０、１２…小動物侵入防止器具、２、３、４、６、８…棒状部材、５…キャップ、７…基部、７ｂ、７ｄ…凸部、７ｃ…突起部、７ｉ…孔部、７ｆ…孔部、９…ワイヤ
【図１】
2006075036.tif 000003
【図２】
2006075036.tif 000004
【図３】
2006075036.tif 000005
【図４】
2006075036.tif 000006
【図５】
2006075036.tif 000007
【図６】
2006075036.tif 000008
【図７】
2006075036.tif 000009
【図８】
2006075036.tif 000010
【図９】
2006075036.tif 000011
【図１０】
2006075036.tif 000012
【図１１】
2006075036.tif 000013
【図１２】
2006075036.tif 000014
【図１３】
2006075036.tif 000015
【図１４】
2006075036.tif 000016
【図１５】
2006075036.tif 000017
【図１６】
2006075036.tif 000018
【図１７】
2006075036.tif 000019
【図１８】
2006075036.tif 000020